(57)【要約】【課題】部品点数の増加を招くことなく、小型化が可能で、配線を挟み込むおそれのない画像読取装置を得る。【解決手段】装置本体４２にヒンジ４７を介して回転中心の廻りに回転して開閉可能に支持された原稿カバーを備えると共に、原稿カバーには自動給紙機構が設けられている。ヒンジ４７は原稿ガラスと略直交方向に摺動可能に装置本体４２に支持されており、ヒンジ４７には、装置本体４２から自動給紙機構への配線５８を保持する保持部４７ｄが形成されている。配線５８は、回転中心Ｃを横切って配置され、ヒンジ４７は、装置本体４２に形成された摺動孔に摺動可能に挿入される摺動部４７ａを備え、保持部４７ｄは摺動部４７ａに設けた。装置本体４２に配線５８を保持する本体側本体側保持部６０を設けた。【選択図】  図９
2007228529.tif 000002
【特許請求の範囲】
【請求項１】
装置本体にヒンジを介して回転中心の廻りに回転して開閉可能に支持された原稿カバーを備えると共に、前記原稿カバーには自動給紙機構が設けられ、閉じた状態の前記原稿カバーにより覆われる原稿ガラス上に載置された原稿、または、前記自動給紙機構により送られる原稿の画像を読み取る画像読取装置において、
前記ヒンジは前記原稿ガラスと略直交方向に摺動可能に前記装置本体に支持されており、
前記ヒンジには、前記装置本体から前記自動給紙機構への配線を保持する保持部が形成されていることを特徴とする画像読取装置。
【請求項２】
前記配線は、前記回転中心の中心線上を横切って配置されたことを特徴とする請求項１に記載の画像読取装置。
【請求項３】
前記ヒンジは、前記装置本体に形成された摺動孔に摺動可能に挿入される摺動部を備え、前記保持部は前記摺動部に設けられたことを特徴とする請求項１又は請求項２のいずれかに記載の画像読取装置。
【請求項４】
前記装置本体に前記配線を保持する本体側保持部を設けたことを特徴とする請求項１ないし請求項３のいずれかに記載の画像読取装置。
【請求項５】
原稿カバーにより覆われる原稿ガラス上に載置された原稿、または、前記原稿カバーに設けられた自動給紙機構により送られる原稿の画像を読み取る画像読取装置の装置本体に前記原稿カバーを開閉可能に支持する画像読取装置用ヒンジにおいて、
前記原稿ガラスと略直交方向に前記装置本体に形成された摺動孔に摺動可能に挿入される摺動部と、
前記原稿カバーを回転可能に支持する開閉支持部と、
前記装置本体から前記自動給紙機構への配線を保持する保持部とを備えたことを特徴とする画像読取装置用ヒンジ。
【発明の詳細な説明】
【技術分野】
【０００１】
本発明は、原稿ガラスを覆う開閉可能な原稿カバーに自動給紙機構を設けた画像読取装置及び原稿カバーを開閉可能に支持する画像読取装置用ヒンジに関する。
【背景技術】
【０００２】
従来より、複写機やファクシミリ装置、複合機等に画像読取装置が組み込まれており、このような、画像読取装置では、原稿ガラス上に原稿を載置し、イメージセンサにより原稿ガラスを通して原稿から画像を読み取っている。その際、開閉可能な原稿カバーにより原稿ガラスを覆って、読取中に原稿がずれるのを防止したり、また、遮光を図るようにしている。
【０００３】
また、特許文献１にあるように、原稿カバーに原稿を自動的に給紙する自動給紙機構を設けたものも知られている。この装置では、装置本体側と自動給紙機構とを配線で電気的に接続し、原稿カバーが開閉されることから、原稿カバーと装置本体との回動支点近傍に配線を配置し、配線をカバー体により覆っている。
【特許文献１】特開２００５−３００７９６号公報
【発明の開示】
【発明が解決しようとする課題】
【０００４】
しかしながら、こうした従来のものでは、装置本体の後側から配線を外部に引き出し、その配線を原稿カバーの後側から原稿カバー内部に引き込んで、外部に露出している配線を覆うカバー体を設けているので、カバー体が必要となり、部品点数が増加すると共に、組立も工数も増加するという問題があった。
【０００５】
また、カバー体が装置本体と原稿カバーとの後側に設けられるので、後側にその分のスペースを必要とし、装置が大型化するという問題もあった。更に、厚い本などを原稿として読み取る場合には、原稿カバーと原稿ガラスとの間に厚い本を挟み込める間隔を確保する必要がある。そこで、原稿カバーを原稿ガラスと垂直方向に移動できるようにすると、原稿カバーと装置本体との間に配線を挟み込んでしまう場合があるという問題があった。
【０００６】
本発明の課題は、部品点数の増加を招くことなく、小型化が可能で、配線を挟み込むおそれのない画像読取装置及び画像読取装置用ヒンジを提供することにある。
【課題を解決するための手段】
【０００７】
かかる課題を達成すべく、本発明は課題を解決するため次の手段を取った。即ち、装置本体にヒンジを介して回転中心の廻りに回転して開閉可能に支持された原稿カバーを備えると共に、前記原稿カバーには自動給紙機構が設けられ、閉じた状態の前記原稿カバーにより覆われる原稿ガラス上に載置された原稿、または、前記自動給紙機構により送られる原稿の画像を読み取る画像読取装置において、前記ヒンジは前記原稿ガラスと略直交方向に摺動可能に前記装置本体に支持されており、前記ヒンジには、前記装置本体から前記自動給紙機構への配線を保持する保持部が形成されていることを特徴とする画像読取装置がそれである。
【０００８】
その際、前記配線は、前記回転中心の中心線上を横切って配置するとよい。また、前記ヒンジは、前記装置本体に形成された摺動孔に摺動可能に挿入される摺動部を備え、前記保持部は前記摺動部に設けられた構成としてもよい。更に、前記装置本体に前記配線を保持する本体側保持部を設けた構成としてもよい。
【０００９】
また、原稿カバーにより覆われる原稿ガラス上に載置された原稿、または、前記原稿カバーに設けられた自動給紙機構により送られる原稿の画像を読み取る画像読取装置の装置本体に前記原稿カバーを開閉可能に支持する画像読取装置用ヒンジにおいて、前記原稿ガラスと略直交方向に前記装置本体に形成された摺動孔に摺動可能に挿入される摺動部と、前記原稿カバーを回転可能に支持する開閉支持部と、前記装置本体から前記自動給紙機構への配線を保持する保持部とを備えたことを特徴とする画像読取装置用ヒンジがそれである。
【発明の効果】
【００１０】
本発明の画像読取装置は、装置本体に摺動可能に支持されたヒンジに配線を保持する保持部を設けたので、配線を大きく湾曲させる必要がなく、配線が装置本体から飛び出さないので、カバー等を設ける必要がなく、部品点数の増加を招くことなく、小型化が可能で、配線を挟み込むおそれがないという効果を奏する。
【００１１】
また、配線を原稿カバーの回転中心を横切るように配置すると、配線の飛び出しを少なくでき、原稿カバーを容易に回転できる。更に、摺動部に保持部を設けたヒンジによると、装置本体からの配線を保持部に保持して、保持部からの配線を原稿カバーに引き込むので、配線をたるませることなく引き込むことができる。装置本体に配線を保持する本体側保持部を設けることにより、更に、原稿カバーに配線をたるませることなく引き込むことができる。
【００１２】
摺動部と開閉支持部と保持部とを備えたヒンジを画像読取装置に用いることにより、配線が装置本体から飛び出さないので、カバー等を設ける必要がなく、部品点数の増加を招くことなく、小型化が可能で、配線を挟み込むおそれがないという効果を奏する。
【発明を実施するための最良の形態】
【００１３】
以下本発明を実施するための最良の形態を図面に基づいて詳細に説明する。
図１は、本実施形態の画像読取装置１２を用いた複合機１の外観を表す斜視図であり、図２は、その側断面図である。なお、以下の説明においては、複合機１の通常使用状態（図１の状態）を基準として上下方向を表現し、後述する操作パネル部１４の設けられている側を手前側（前）として前後方向を表現し、複合機１を手前側（正面）から見て左右方向を表現する。
【００１４】
この複合機１は、プリンタ機能、画像読取機能、カラーコピー機能、ファクシミリ機能等を有したものであり、図１及び図２に示すように、合成樹脂製のハウジング２の上部に、原稿の読み取りに用いられる画像読取装置１２が設けられている。
【００１５】
画像読取装置１２は、複合機１のハウジング２に取り付けられている。また、この画像読取装置１２の上面を覆う原稿カバー１３が、その後端を中心に画像読取装置１２に対して開閉可能な状態で設けられている。
【００１６】
そして、図２に示すように、画像読取装置１２の上面には、原稿カバー１３を上方へ開いた状態で読み取り用の原稿を載置するための第１原稿ガラス１６及び第１原稿ガラス１６と並んで第２原稿ガラス６８が設けられている。また、その下側には、原稿読み取り用の密着型イメージセンサ（ＣＩＳ：Ｃｏｎｔａｃｔ  Ｉｍａｇｅ  Ｓｅｎｓｏｒ）１７が図２の紙面と直交する方向（副走査方向）に延びるガイドシャフト３８に沿って往復移動可能に設けられている。
【００１７】
さらに、図１及び図２に示すように、画像読取装置１２の前方には、入力操作を行うための操作ボタン群１４ａや各種情報を表示するための液晶表示部（ＬＣＤ）１４ｂを備えた操作パネル部１４が設けられている。
【００１８】
一方、ハウジング２の底部には、被記録媒体としての記録紙Ｐを給紙するための給紙部１１が設けられている。この給紙部１１には、記録紙Ｐを積載（堆積）した状態で収容する給紙カセット３が、ハウジング２の前側に形成された開口部２ａを介して、ハウジング２に対し前後方向に着脱可能に設けられている。本実施形態において、給紙カセット３は、Ａ４サイズ、レターサイズ、リーガルサイズ、はがきサイズ等の記録紙Ｐをその短辺（幅）が給紙方向（前後方向、矢印Ａ方向）と直交する方向（左右方向）に延びる向きで複数枚積載して収容可能に構成されている。
【００１９】
そして、図２に示すように、給紙カセット３の奥側（後端部側）には、記録紙分離用の傾斜分離板８が配置されている。この傾斜分離板８は、記録紙Ｐの幅方向（左右方向）中央部において突出し、記録紙Ｐの幅方向左右両端部側へ向かうに従って後退するように平面視で凸湾曲状に形成されており、記録紙Ｐの幅方向中央部には、記録紙Ｐの先端縁に当接して分離を促進するための鋸歯状の弾性分離パッドが設けられている。
【００２０】
また、給紙部１１において、ハウジング２側には、給紙カセット３から記録紙Ｐを給紙するための給紙アーム６ａの基端部が上下方向に回動可能に装着され、この給紙アーム６ａの先端部に設けられた給紙ローラ６ｂには、給紙アーム６ａ内に設けられた歯車伝達機構６ｃにより、図示しない搬送モータからの回転駆動力が伝達される。そして、この給紙ローラ６ｂと前述した傾斜分離板８の弾性分離パッドとにより、給紙カセット３に積載された記録紙Ｐを１枚ずつ分離搬送する。
【００２１】
こうして給紙方向（矢印Ａ方向）に沿って進むように分離された記録紙Ｐは、第１搬送路体３０と第２搬送路体３２との間隙に形成された横向きＵ字形状のパスを含む給送路９を介して、給紙カセット３の上方に設けられた記録部７に給送される。
【００２２】
記録部７は、上向き開放の箱状に形成されたメインフレーム２１と、下面からインクを吐出することで記録紙Ｐに画像を記録するインクジェット式の記録ヘッド４と、この記録ヘッド４が搭載されたキャリッジ５とを備えている。記録部７において、キャリッジ５における記録ヘッド４の下面には、左右方向に延びる扁平状であって、記録ヘッド４と対向するように記録紙Ｐを下方から支持するプラテン２６が、メインフレーム２１に固定されている。
【００２３】
そして、図２に示すように、プラテン２６の排紙方向（矢印Ｂ方向）上流側には、記録紙Ｐをプラテン２６の上面（記録ヘッド４の下面）に搬送するための搬送（レジスト）ローラとして、駆動ローラ３４と、この駆動ローラ３４に下方から対向するニップローラ３６とが配置されている。また、プラテン２６の排紙方向（矢印Ｂ方向）下流側には、記録部７を経た記録紙Ｐを排紙方向に沿って排紙部１０に搬送するように駆動される排紙ローラ２８と、これに対向して排紙ローラ２８側に付勢された拍車ローラ（図示せず）とが配置されている。
【００２４】
一方、記録部７にて画像が記録された記録紙Ｐがその記録面を上向きにして排出される排紙部１０は、給紙部１１の上方に配置され、排紙口１０ａがハウジング２の前面の開口部２ａと共通にして開口されている。そして、排紙部１０から排紙方向（矢印Ｂ方向）に排出された記録紙Ｐは、開口部２ａの内部側に位置する排紙トレイ１０ｂ上に積載収容される。
【００２５】
図３は本実施形態の複合機１から取り外した画像読取装置１２の外観を表す斜視図であり、図４は原稿カバー１３を開いた状態の画像読取装置１２の外観を表す斜視図である。図５は本実施形態の画像読取装置１２の要部分解斜視図であり、図６は本実施形態の画像読取装置１２から原稿カバー１３を取り外した状態の拡大平面図である。
【００２６】
画像読取装置１２は、第１原稿ガラス１６上に載置された原稿から画像を読み取るフラットベッド機構と、原稿を自動的に移動させて画像を読み取る自動給紙機構との両方を備えている。
【００２７】
図３、図４に示すように、画像読取装置１２は樹脂にて矩形ボックス状に成形された装置本体４２を備え、装置本体４２の上面開口部は前述した水平な第１原稿ガラス１６によって覆われている。そして、第１原稿ガラス１６上には、読み込むべき原稿が載置されるが、第１原稿ガラス１６の原稿載置領域はほぼ長方形に形成され、原稿カバー１３の裏面には、原稿読取時に第１原稿ガラス１６の原稿載置領域を覆う矩形の原稿押さえスポンジ４４が取り付けられている。尚、図示しないが、原稿押さえスポンジ４４の表面には白色の樹脂フィルムが被着されている。
【００２８】
第１原稿ガラス１６と並んで、装置本体４２の上面開口部には第２原稿ガラス６８が設けられている。第２原稿ガラス６８は第１原稿ガラス１６の左側に設けられ、第１原稿ガラス１６よりも左右方向の幅が小さい長方形状のものである。第１原稿ガラス１６と第２原稿ガラス６８とは同一平面上に配置されている。
【００２９】
第２原稿ガラス６８の下側には、前述した原稿読み取り用の密着型イメージセンサ１７が設けられ、密着型イメージセンサ１７は第２原稿ガラス６８の下側から、第１原稿ガラス１６の下側を通って、ガイドシャフト３８に沿って往復移動可能に設けられている。
【００３０】
原稿カバー１３に自動給紙機構７０が設けられており、自動給紙機構７０は、図３に示すように、原稿カバー１３の上面に設けられた原稿給紙トレイ７２と原稿排紙トレイ７４とを備えている。自動給紙機構７０は原稿給紙トレイ７２上に載置された原稿を、軸方向が原稿搬送方向と直交して配置された搬送ローラ７５等を回転駆動して、原稿を原稿給紙トレイ７２から第２原稿ガラス６８上を通過させる。
【００３１】
第２原稿ガラス６８上を通過した原稿は、装置本体４２に形成された複数の跳ね上げ突起７６により原稿の先端が上方に跳ね上げられて、再び原稿カバー１３の自動給紙機構７０に導かれて、原稿排紙トレイ７４へと搬送される。
【００３２】
第２原稿ガラス６８は、自動給紙機構７０により原稿を読み取る際に利用され、自動給紙機構７０を利用して原稿を読み取る際には、原稿給紙トレイ７２上に原稿を載置し、自動給紙機構７０を作動させて原稿を原稿給紙トレイ７２から原稿排紙トレイ７４へと搬送し、密着型イメージセンサ１７を第２原稿ガラス６８の下方で静止させたまま、第２原稿ガラス６８の上を通過する原稿から画像を読み取る。
【００３３】
図４〜図６に示すように、原稿カバー１３と装置本体４２との後側には左右一対のヒンジ４７，４８が設けられており、一対のヒンジ４７，４８は、それぞれ摺動部４７ａ，４８ａと開閉支持部４７ｂ，４８ｂとを備えている。左側のヒンジ４７には、更に、保持部４７ｄが摺動部４７ａと一体に形成されている。
【００３４】
図７は本実施形態の左側のヒンジ４７の拡大斜視図であり、図８は本実施形態の原稿カバー１３を上げた状態での画像読取装置１２の後側から見た装置本体４２と左側のヒンジ４７との位置関係を示す説明図であり、図９は本実施形態の原稿カバー１３を下げた状態での画像読取装置１２の後側から見た装置本体４２と左側のヒンジ４７との位置関係を示す説明図である。
【００３５】
図５、図７に示すように、左側のヒンジ４７の摺動部４７ａは、第１原稿ガラス１６と直交する上下方向に延出されており、上下方向に一対の切欠が形成されて、弾性変形可能なフック部４７ｃが形成されている。摺動部４７ａの上側には、開閉支持部４７ｂが一体的に形成されている。
【００３６】
開閉支持部４７ｂは左右方向に沿って断面形状がほぼＣ字状に形成されており、原稿カバー１３の後端側に設けられた一方の軸部１３ａが開閉支持部４７ｂに回転可能に嵌着される。保持部４７ｄは、上下方向に沿って断面形状がほぼＣ字状に形成されており、保持部４７ｄは、摺動部４７ａの側面に、板状の接続部４７ｅを介して、一体的に設けられている。
【００３７】
左側のヒンジ４７の摺動部４７ａは、装置本体４２に形成された断面形状が長方形状の摺動孔５０（図７に二点鎖線で示す）に摺動可能に挿入されている。摺動孔５０は第１原稿ガラス１６と直交する上下方向に形成されており、本実施形態では、摺動孔５０の軸方向の長さは、摺動部４７ａの軸方向の長さよりも短く、摺動部４７ａが、摺動孔５０に沿って上下方向に、フック部４７ｃまたは開閉支持部４７ｂが、摺動孔５０の端に当接するまでの間で、所定量のストロークで摺動できるように構成されている。
【００３８】
摺動孔５０と平行に、装置本体４２には、保持部４７ｄを収納可能な収納孔５４が形成されている。摺動孔５０と収納孔５４とは接続孔５６により連接されており、接続孔５６には接続部４７ｅが挿入され、接続部４７ｅが移動可能に形成されている。
【００３９】
図８、図９に示すように、保持部４７ｄには、装置本体４２と原稿カバー１３の自動給紙機構７０とを電気的に接続する配線５８が保持されている。配線５８は、例えば、電力線、信号線が束ねられたものであり、配線５８を保持部４７ｄに装着する際には、Ｃ字状の開口を通すことにより、配線５８の先端に図示しないコネクタが取り付けられていても、容易に装着できる。
【００４０】
配線５８は、装置本体４２に設けられた本体側保持部６０にも保持されており、装置本体４２の本体側保持部６０は、ヒンジ４７の保持部４７ｄから少し離れた位置に設けられている。装置本体４２の本体側保持部６０は、配線５８を原稿カバー１３の軸部１３ａの軸方向と平行に保持するように形成されており、ヒンジ４７の保持部４７ｄに保持された配線５８と、装置本体４２の本体側保持部６０に保持された配線５８とが、直交するように構成されている。
【００４１】
また、装置本体４２の本体側保持部６０は、図８に示すヒンジ４７が上昇端にある本体側保持部６０の下端と、図９に示すヒンジ４７が下降端にある本体側保持部６０の下端との中間位置に配置されている。
【００４２】
装置本体４２から引き出された配線５８は、装置本体４２の本体側保持部６０に保持され、装置本体４２の本体側保持部６０とヒンジ４７の保持部４７ｄとに配線５８がそれぞれ保持されている。ヒンジ４７の保持部４７ｄに保持された配線５８は、上方に引き出され、原稿カバー１３の軸部１３ａの回転中心Ｃを横切って配置され、それから、原稿カバー１３内に引き込まれて、原稿カバー１３に固定されている。
【００４３】
図１０は本実施形態の右側のヒンジ４８を含む原稿カバー１３と装置本体４２との部分拡大断面図である。図１０に示すように、摺動部４８ａは、装置本体４２に形成された断面形状が長方形状の摺動孔５２に摺動可能に挿入されている。摺動部４８ａの先端には、摺動部４８ａの軸方向に切欠が形成されて、弾性変形可能なフック部４８ｃが形成されている。フック部４８ｃは、摺動孔５２よりも径方向外側に突き出されており、摺動部４８ａを摺動孔５２に挿入する際には、フック部４８ｃを径方向内側に弾性変形させて、摺動部４８ａを摺動孔５２に挿入する。
【００４４】
摺動孔５２は、第１原稿ガラス１６とほぼ直交方向に形成されており、摺動部４７ａは摺動孔５２の軸方向長さよりも長く形成されている。これにより、摺動部４７ａが、摺動孔５２に沿って軸方向（上下方向）に、フック部４８ｃまたは開閉支持部４８ｂが、摺動孔５２の端に当接するまでの間で、所定量のストロークで摺動できるように構成されている。開閉支持部４８ｂは、断面形状がほぼＣ字状に形成されており、原稿カバー１３の後端側に設けられた他方の軸部１３ｂが開閉支持部４８ｂに回転可能に嵌着されている。
【００４５】
次に、前述した本実施形態の画像読取装置１２の作動について、複合機１の作動と共に説明する。
まず、厚さの薄い原稿を読み取る際、例えば、Ａ４の用紙１枚の原稿を読み取る際には、左右一対のヒンジ４７，４８の摺動部４７ａ，４８ａを摺動孔５０，５２内を摺動させて、下降端にまで押し下げた状態にする。これにより、左側のヒンジ４７は、図９に示すように、ヒンジ４７の保持部４７ｄの下端が、装置本体４２の本体側保持部６０よりも下方に位置する状態になる。
【００４６】
そして、原稿カバー１３を軸部１３ａ，１３ｂの廻りに回転させて、図４に示すように、原稿カバー１３を開いた状態にする。次に、第１原稿ガラス１６上に原稿を載せてから、原稿カバー１３を軸部１３ａ，１３ｂの廻りに回転させて、第１原稿ガラス１６を原稿カバー１３で覆って、閉じた状態にする。
【００４７】
この原稿カバー１３の開閉の際、原稿カバー１３が軸部１３ａ，１３ｂの廻りに回転するが、配線５８は回転中心Ｃを横切って配置されているので、配線５８は回転中心Ｃの廻りに折れ曲がる。従って、原稿カバー１３を開閉させる際に、配線５８が邪魔になって、開閉の妨げになることがなく、原稿カバー１３を滑らかに開閉できる。
【００４８】
原稿が厚い本のようなものである場合には、原稿を第１原稿ガラス１６上に載置して、原稿カバー１３により覆う際、原稿の厚さに応じて原稿カバー１３を上方に持ち上げる。これにより、左右一対のヒンジ４７，４８の摺動部４７ａ，４８ａが、装置本体４２の摺動孔５０，５２内を摺動する。
【００４９】
原稿カバー１３は第１原稿ガラス１６と平行を保った状態で、原稿カバー１３は第１原稿ガラス１６との間の間隔を空けることができる。従って、原稿が厚い本のような場合でも、原稿カバー１３により原稿を覆うことができる。
【００５０】
図９に示すヒンジ４７の下降端側から、図８に示すヒンジ４７の上昇端側に、ヒンジ４７が上昇する際、配線５８はヒンジ４７の保持部４７ｄにより引き上げられる。また、装置本体４２の本体側保持部６０により配線５８が保持され、本体側保持部６０は移動しないので、装置本体４２の本体側保持部６０とヒンジ４７の保持部４７ｄとの間の配線５８が曲がる。
【００５１】
装置本体４２の本体側保持部６０は、ヒンジ４７の保持部４７ｄの下端のストローク中間に配置されており、装置本体４２の本体側保持部６０により配線５８が摺動方向と直交する水平方向に保持されているので、配線５８がヒンジ４７の保持部４７ｄと共に引き上げられて、配線５８が容易に曲がる。
【００５２】
原稿カバー１３を上下方向に移動する際には、装置本体４２の本体側保持部６０と、ヒンジ４７の保持部４７ｄとの間の配線５８が曲がって、上下方向の動きを吸収し、原稿カバー１３を軸部１３ａ，１３ｂの廻りに回転して開閉する際には、ヒンジ４７の保持部４７ｄと原稿カバー１３との間の配線５８が曲がって、回転による動きを吸収する。
【００５３】
装置本体４２の本体側保持部６０とヒンジ４７の保持部４７ｄとは、配線５８の屈曲性に応じて、接近して配置できるので、配線５８を大きく湾曲させる必要がなく、従って、配線５８を覆うカバー体を設ける必要がなく、しかも、小型化できる。また、ヒンジ４７に保持部４７ｄを設けたので、保持部４７ｄから原稿カバー１３内に配線５８をたるませることなく引き込むことができ、配線５８を原稿カバー１３と装置本体４２との挟み込むことなく、原稿カバー１３を開閉できる。
【００５４】
一方、原稿カバー１３を閉じた後、操作パネル部１４でのキー操作により読取動作を指示すると、密着型イメージセンサ１７が第１原稿ガラス１６の下方を、ガイドシャフト３８に沿って移動して、原稿から画像を読み取る。
【００５５】
原稿を複写する場合には、給紙カセット３からの記録紙Ｐを給紙ローラ６ｂと傾斜分離板８の弾性分離パッドとにより、記録紙Ｐを１枚ずつ分離搬送する。記録紙Ｐは、給送路９を介して記録部７に給送され、読み取った画像データに応じて、記録ヘッド４からインクが吐出され、記録紙Ｐに画像を記録する。記録部７を経た記録紙Ｐは排紙方向に沿って排紙部１０に搬送される。
【００５６】
また、自動給紙機構７０により原稿を読み取る際には、原稿カバー１３を軸部１３ａ，１３ｂの廻りに回転させて、第１原稿ガラス１６及び第２原稿ガラス６８を原稿カバー１３で覆って、閉じた状態にする。
【００５７】
そして、自動給紙機構７０により原稿を搬送すると、自動給紙機構７０は原稿給紙トレイ７２上に載置された原稿を、搬送ローラ７５等を回転駆動して、原稿を原稿給紙トレイ７２から第２原稿ガラス６８上を通過させる。第２原稿ガラス６８上を通過した原稿は、跳ね上げ突起７６により原稿の先端が上方に跳ね上げられて、原稿排紙トレイ７４へと搬送される。密着型イメージセンサ１７は第２原稿ガラス６８の下方で静止したまま、第２原稿ガラス６８の上を通過する原稿から画像を読み取る。
【００５８】
以上本発明はこの様な実施形態に何等限定されるものではなく、本発明の要旨を逸脱しない範囲において種々なる態様で実施し得る。
【図面の簡単な説明】
【００５９】
【図１】本発明の一実施形態としての画像読取装置を用いた複合機の外観を表す斜視図である。
【図２】本実施形態の複合機の側断面図である。
【図３】本実施形態の複合機から取り外した画像読取装置の外観を表す斜視図である。
【図４】本実施形態の原稿カバーを開いた状態の画像読取装置の外観を表す斜視図である。
【図５】本実施形態の画像読取装置の要部分解斜視図である。
【図６】本実施形態の画像読取装置から原稿カバーを取り外した状態の拡大平面図である。
【図７】本実施形態の左側のヒンジの拡大斜視図である。
【図８】本実施形態の原稿カバーを上げた状態での画像読取装置の後側から見た装置本体と左側のヒンジとの位置関係を示す説明図である。
【図９】本実施形態の原稿カバーを下げた状態での画像読取装置の後側から見た装置本体と左側のヒンジとの位置関係を示す説明図である。
【図１０】本実施形態の右側のヒンジを含む原稿カバーと装置本体との部分拡大断面図である。
【符号の説明】
【００６０】
１…複合機            ２…ハウジング
３…給紙カセット      ４…記録ヘッド
１２…画像読取装置    １３…原稿カバー
１３ａ，１３ｂ…軸部  １６…第１原稿ガラス
１７…密着型イメージセンサ
３８…ガイドシャフト  ４２…装置本体
４４…スポンジ        ４７，４８…ヒンジ
４７ａ，４８ａ…摺動部
４７ｂ，４８ｂ…開閉支持部
４７ｃ，４８ｃ…フック部
４７ｄ…保持部        ５０，５２…摺動孔
５８…配線            ６０…本体側保持部
６８…第２原稿ガラス  ７０…自動給紙機構
７２…原稿給紙トレイ  ７４…原稿排紙トレイ
【図１】
2007228529.tif 000003
【図２】
2007228529.tif 000004
【図３】
2007228529.tif 000005
【図４】
2007228529.tif 000006
【図５】
2007228529.tif 000007
【図６】
2007228529.tif 000008
【図７】
2007228529.tif 000009
【図８】
2007228529.tif 000010
【図９】
2007228529.tif 000011
【図１０】
2007228529.tif 000012